(57)【要約】      （修正有）【課題】動作中の動作モードをオペレータに容易に確認させることができる制御装置及びプリンタを提供する。【解決手段】制御装置１００は、予め定められたデータに基づいて作業を選択し、選択した作業の動作モードに応じた色でオペレータに指示を与えるための表示欄を、表示手段に表示させる制御手段２０を備える。制御手段は、定められた総額を印字する動作モード、計数結果に応じた総額を印字する動作モード、及び、計量結果に応じた総額を印字する動作モードのうちから、動作モードを選択し、選択した動作モードに応じた色の表示欄を、表示手段９ｂに表示させてもよい。【選択図】図１
2014132383.tif 000002
【特許請求の範囲】
【請求項１】
予め定められたデータに基づいて作業を選択し、選択した作業の動作モードに応じた色でオペレータに指示を与えるための表示欄を、表示手段に表示させる制御手段を備えることを特徴とする制御装置。
【請求項２】
前記制御手段は、定められた総額を印字する動作モード、計数結果に応じた総額を印字する動作モード、及び、計量結果に応じた総額を印字する動作モードのうちから、動作モードを選択し、選択した動作モードに応じた色の表示欄を、表示手段に表示させることを特徴とする請求項１に記載の制御装置。
【請求項３】
予め定められたデータに基づいて作業を選択し、選択した作業の動作モードに応じた色でオペレータに指示を与えるための表示欄を、表示手段に表示させる制御手段と、
前記表示欄に表示されたデータを媒体に印字する印字手段と、
を備えることを特徴とするプリンタ。
【発明の詳細な説明】
【技術分野】
【０００１】
本発明は、制御装置及びプリンタに関する。
【背景技術】
【０００２】
ラベルの印字領域に印字データが入り切らない場合におけるエラー処置を改善することを目的としたラベルプリンタが、特許文献１に開示されている。
【先行技術文献】
【特許文献】
【０００３】
【特許文献１】特開平１０−３２４３２０号公報
【発明の概要】
【発明が解決しようとする課題】
【０００４】
ところで、商品の値段などの印字データをラベルプリンタに入力する際、オペレータは、入力中の印字データが表示されている画面を見ながら、自らが指示した作業の動作モードに基づいて、制御装置を操作することがある。しかしながら、制御装置は、オペレータからの指示に基づいて選択した作業の動作モードがどのようなモードであるのかを、オペレータに容易に認識させることができない、という問題がある。
【０００５】
本発明は、前記の点に鑑みてなされたものであり、指示に基づいて選択した作業の動作モードがどのようなモードであるのかを、オペレータに容易に認識させることができる制御装置及びプリンタを提供することを目的とする。
【課題を解決するための手段】
【０００６】
本発明の一態様は、予め定められたデータに基づいて作業を選択し、選択した作業の動作モードに応じた色でオペレータに指示を与えるための表示欄を、表示手段に表示させる制御手段を備えることを特徴とする制御装置である。
この構成により、制御手段は、予め定められたデータに基づいて作業を選択し、選択した作業の動作モードに応じた色でオペレータに指示を与えるための表示欄を、表示手段に表示させる。
これにより、制御装置は、指示に基づいて選択した作業の動作モードがどのようなモードであるのかを、オペレータに容易に認識させることができる。また、制御装置は、作業すべき動作モード（選択した作業の動作モード）を、オペレータに色で容易に指示することができる。また、オペレータは、作業すべき動作モードを瞬間的に把握し、効率良く作業することができる。
【０００７】
また、本発明の一態様は、前記制御手段が、定められた総額を印字する動作モード、計数結果に応じた総額を印字する動作モード、及び、計量結果に応じた総額を印字する動作モードのうちから、動作モードを選択し、選択した動作モードに応じた色の表示欄を、表示手段に表示させることを特徴とする制御装置である。
これにより、制御装置は、選択した動作モードに応じた色の表示欄を、表示手段に表示させることができる。また、オペレータは、作業すべき動作モード（選択した作業の動作モード）を瞬間的に把握し、効率良く作業することができる。
【０００８】
また、本発明の一態様は、予め定められたデータに基づいて作業を選択し、選択した作業の動作モードに応じた色でオペレータに指示を与えるための表示欄を、表示手段に表示させる制御手段と、前記表示欄に表示されたデータを媒体に印字する印字手段と、を備えることを特徴とするプリンタである。
この構成により、制御手段は、予め定められたデータに基づいて作業を選択し、選択した作業の動作モードに応じた色でオペレータに指示を与えるための表示欄を、表示手段に表示させる。
これにより、プリンタは、指示に基づいて選択した作業の動作モードがどのようなモードであるのかを、オペレータに容易に認識させることができる。また、プリンタは、作業すべき動作モード（選択した作業の動作モード）を、オペレータに色で容易に指示することができる。また、オペレータは、作業すべき動作モード（選択した作業の動作モード）を瞬間的に把握し、効率良く作業することができる。
【発明の効果】
【０００９】
本発明によれば、制御装置及びプリンタは、指示に基づいて選択した作業の動作モードがどのようなモードであるのかを、オペレータに容易に認識させることができる。また、オペレータは、作業すべき動作モードを容易に認識することができるので、効率良く作業することができる。
【図面の簡単な説明】
【００１０】
【図１】本発明の一実施形態における、ラベルプリンタの構成例を示すブロック図である。
【図２】本発明の一実施形態における、操作部の外観例を示す図である。
【図３】本発明の一実施形態における、商品ファイルの例を示す表である。
【図４】本発明の一実施形態における、定額モードでの値付け画面の表示例を示す図である。
【図５】本発明の一実施形態における、計数モードでの値付け画面の表示例を示す図である。
【図６】本発明の一実施形態における、計量モードでの値付け画面の表示例を示す図である。
【図７】本発明の一実施形態における、ラベルプリンタの動作手順例を示すフローチャートである。
【発明を実施するための形態】
【００１１】
本発明の一実施形態について図面を参照して詳細に説明する。プリンタ（例えば、ラベルプリンタ）を制御する制御装置は、予め定められたデータに基づいて動作モードを選択し、選択した動作モードに応じた色の表示欄を、表示手段に表示させる。これにより、制御装置及びプリンタは、動作中の動作モードをオペレータに容易に確認させることができる。
【００１２】
図１には、ラベルプリンタの構成例が、ブロック図により示されている。ラベルプリンタ１は、制御装置１００と、はかり２と、印字機構部３と、操作部５とを備える。
はかり２は、ロードセル２ａを有する。ロードセル２ａは、商品の重量を計測し、商品の重量を示す信号を制御装置１００に出力する。
印字機構部３は、制御装置１００による制御に基づいて、印字データを印字用フォーマットでラベル（媒体）に印字し、印字されたラベルを発行する。
【００１３】
操作部５は、キー操作部７と、タッチパネル９ａとを有する。キー操作部７（モード選択手段）は、オペレータによる操作入力（例えば、ラベルプリンタ１及び制御装置１００の動作モードを選択する操作）を受け付け、キー操作部７を介した操作入力に応じた信号を、制御装置１００に出力する。なお、キー操作部７（色選択手段）は、表示手段に表示される画像の表示色を選択するための操作入力を受け付けてもよい。タッチパネル９ａは、オペレータによる操作入力（例えば、表示欄を選択する操作）を受け付け、タッチパネル９ａを介した操作入力に応じた信号を、制御装置１００に出力する。
【００１４】
図２には、操作部の外観例が示されている。操作部５は、液晶表示器９ｂ（表示手段）を有する。液晶表示器９ｂは、タッチパネル９ａと一体に備えられ、制御装置１００による制御に基づいて、画像を表示する。液晶表示器９ｂの解像度は、例えば、４８０×２００［ドット］である。なお、表示手段は、液晶による表示器に限らず、例えば、有機ＥＬ（Ｅｌｅｃｔｒｏ Ｌｕｍｉｎｅｓｃｅｎｃｅ）による表示器でもよい。
【００１５】
図１に戻り、ラベルプリンタの構成例の説明を続ける。制御装置１００は、ラベルプリンタ１の各部を制御する。制御装置１００は、ＣＰＵ２０（Ｃｅｎｔｒａｌ Ｐｒｏｃｅｓｓｉｎｇ Ｕｎｉｔ）と、ロードセル制御部２１と、印字制御部２２と、操作制御部２４と、表示制御部２５と、ＲＡＭ３０（Ｒａｎｄｏｍ Ａｃｃｅｓｓ Ｍｅｍｏｒｙ）と、ＲＯＭ４０（Ｒｅａｄ Ｏｎｌｙ Ｍｅｍｏｒｙ）とを有する。
【００１６】
ＲＯＭ４０は、制御プログラムを予め記憶する。ＲＯＭ４０は、制御装置１００の電源が投入され、電力が供給された際、制御プログラムをＲＡＭ３０に展開する。
【００１７】
ロードセル制御部２１には、商品の重量を示す信号が、はかり２のロードセル２ａから入力される。ロードセル制御部２１は、商品の重量を示す信号を、ＣＰＵ２０に転送する。
印字制御部２２は、ＣＰＵ２０による制御に基づいて画像処理（例えば、ビットマップ処理）を実行し、印字機構部３を制御する。例えば、印字制御部２２は、予め定められた印字用フォーマットで印字データをラベルに印字するよう、印字機構部３を制御する。なお、印字制御部２２には、印字結果を示す信号が、印字機構部３から入力されてもよい。
【００１８】
表示制御部２５は、ＣＰＵ２０による制御に基づいて画像処理を実行する。また、表示制御部２５は、画像処理された各種画面（図４〜図６を用いて後述する）を表示するよう、液晶表示器９ｂを制御する。
【００１９】
操作制御部２４には、キー操作部７を介した操作入力に応じた信号が、操作部５のキー操作部７から入力される。例えば、操作制御部２４は、商品番号を示す信号（以下、「商品番号信号」という。）がキー操作部７から入力された場合、商品番号信号をＣＰＵ２０に転送する。また、例えば、操作制御部２４は、商品の内容量を示す信号（以下、「内容量信号」という。）がキー操作部７から入力された場合、内容量信号をＣＰＵ２０に転送する。また、例えば、操作制御部２４は、動作モード（図３を用いて後述する）を示す信号がキー操作部７から入力された場合、動作モードを示す信号（以下、「動作モード信号」という。）をＣＰＵ２０に転送する。また、例えば、操作制御部２４は、入力データを示す信号がキー操作部７から入力された場合、入力データを示す信号（以下、「入力データ信号」という。）をＣＰＵ２０に転送する。
【００２０】
操作制御部２４には、タッチパネル９ａを介した操作入力に応じた信号が、操作部５のタッチパネル９ａから入力される。例えば、選択された表示欄を示す信号（以下、「選択表示欄信号」という。）が、タッチパネル９ａから入力された場合、操作制御部２４は、選択表示欄信号をＣＰＵ２０に転送する。
【００２１】
ＲＡＭ３０は、各種データを一時記憶する。例えば、ＲＡＭ３０は、ＲＯＭ４０から展開された制御プログラムを一時記憶する。また、例えば、ＲＡＭ３０は、商品ファイルを一時記憶する。
【００２２】
図３には、商品ファイルの例が、表により示されている。商品ファイルの項目には、一例として、商品番号と、品名と、単価と、総額（値段）と、内容量（個数）とがある。これらの項目は、互いに対応付けられている。
【００２３】
商品ファイルにおいて、商品番号は、商品の識別番号を示す。品名は、商品の品名を示す。単価は、商品の単価を示す。総額は、商品の総額（値段）を示す。内容量は、商品の内容量（個数）を示す。
【００２４】
図３では、商品番号「０００００１」は、品名「計量商品」と、単価「１００」と、総額「単価×計量結果」と、動作情報「１」とに対応付けられている。ここで、総額は、単価に商品の計量結果（内容量）を乗算した金額である。商品番号「０００００１」は、内容量には対応付けられていない。
また、商品番号「０００００２」は、品名「定額商品」と、総額「１０００」と、動作情報「２」とに対応付けられている。ここで、総額は、定額である。商品番号「０００００１」は、単価と、内容量とには対応付けられていない。
また、商品番号「０００００３」は、品名「計数商品」と、単価「１００」と、総額「単価×内容量」と、内容量と、動作情報「３」とに対応付けられている。ここで、総額は、商品の計数結果としての内容量（個数）を、単価に乗算した金額である。
【００２５】
動作情報は、動作モードを商品番号毎に示す情報である。動作情報「１」が示す動作モードでは、計量商品が必ず計量され、その計量結果として出力される重量値と単価とが乗算された結果が、総額（値段）となる。また、液晶表示器９ｂ（図１を参照）には、動作情報「１」が示す動作モードに対応付けられた色（例えば、緑色）の表示欄（図６を用いて後述する）、すなわち、計量商品を扱う作業に対応付けられた色の表示欄が表示される。
【００２６】
これにより、オペレータは、計量商品を必ず計量するという作業の動作モードを、計量商品を扱う作業に対応付けられた色で表示された表示欄の色を見ることで、容易に認識することができる。計量結果として出力される重量値の変動が安定すると、ラベルは、総額を含む事項が印字されて発行される。
【００２７】
動作情報「２」が示す動作モードでは、定額商品毎に商品ファイルに登録されている総額（値段）が、その定額商品の総額となる。また、液晶表示器９ｂ（図１を参照）には、動作情報「２」が示す動作モードに対応付けられた色（例えば、黄色）の表示欄（図４を用いて後述する）、すなわち、定額商品を扱う作業に対応付けられた色の表示欄が表示される。
【００２８】
これにより、オペレータは、キー操作部７に設けられた「発行」キー（不図示）を押下操作するという作業の動作モードを、定額商品を扱う作業に対応付けられた色で表示された表示欄の色を見ることで、容易に認識することができる。キー操作部７に設けられた「発行」キー（不図示）が押下操作されることにより、ラベルは、総額を含む事項が印字されて発行される。
【００２９】
動作情報「３」が示す動作モードでは、計数商品毎に商品ファイルに登録されている単価と、計数商品毎に予め定められた内容量（例えば、個数）とが乗算された結果が、総額（値段）となる。また、液晶表示器９ｂ（図１を参照）には、動作情報「３」が示す動作モードに対応付けられた色（例えば、赤色）の表示欄（図５を用いて後述する）、すなわち、計数商品を扱う作業に対応付けられた色の表示欄が表示される。
【００３０】
これにより、オペレータは、キー操作部７に設けられた「発行」キー（不図示）を押下操作するという作業のほか、予め定められた内容量と商品の実際の内容量とが合っているか否かを確認するという作業の動作モードを、計数商品を扱う作業に対応付けられた色で表示された表示欄の色を見ることで、容易に認識することができる。キー操作部７に設けられた「発行」キー（不図示）が押下操作されることにより、ラベルは、総額を含む事項が印字されて発行される。
【００３１】
このように、選択された商品番号に対応付けられた動作モードに応じた色で表示欄が表示されることにより、制御装置１００は、作業の動作モードに応じた作業指示を、オペレータに与えることができる。なお、動作モードに応じた色を示す情報は、商品ファイルとは異なる別途のファイル（不図示）に登録されていてもよい。
【００３２】
また、動作情報は、商品ファイルの登録内容を更新するための動作モードがオペレータから制御装置１００に指示され、その指示された動作モードで制御装置１００が動作することにより更新可能である。例えば、動作情報を更新するための手段が値付け画面（図４〜図６を用いて後述する）に設けられ、且つ、商品番号に対応付けられた動作情報が当該手段を介して更新された場合、商品ファイルに登録されている動作情報は、同様に更新される。
【００３３】
図１に戻り、制御装置１００の構成例の説明を続ける。ＣＰＵ２０は、バスを介して制御装置１００の各部と接続されている。ＣＰＵ２０は、ＲＡＭ３０に展開された制御プログラムに基づいて、制御装置１００の各部を制御する。また、ＣＰＵ２０は、各種データをＲＡＭ３０に記憶させる。
【００３４】
ラベルプリンタ１の動作モード、すなわち、制御装置１００の動作モードには、定額モード（定貫モード）と、計数モード（ＢＹ  ＣＯＵＮＴモード）と、計量モード（非定貫モード）とがある。定額モードとは、商品の総額（値段）を定額として、その総額を印字する動作モードである。また、計数モードとは、商品の総額（値段）を、商品の計数結果としての内容量を単価に乗算した値として、その総額を印字する動作モードである。また、計量モードとは、商品の総額（値段）を、商品の計量結果（重量）を単価に乗算した値として、その総額を印字する動作モードである。
【００３５】
ＣＰＵ２０は、商品ファイル（図３を参照）を、ＲＡＭ３０から取得する。ＣＰＵ２０には、商品番号信号が、操作制御部２４から入力される。ＣＰＵ２０は、予め定められたデータ（例えば、商品ファイルに含まれる項目のデータ）に基づいて動作モード（例えば、定額モード、計数モード、又は、計量モード）を選択し、選択した動作モードに応じた色の表示欄を液晶表示器９ｂに表示させるよう、表示制御部２５を制御する。
【００３６】
具体的には、ＣＰＵ２０は、商品番号信号に基づいて、商品ファイルから商品番号を選択する。ＣＰＵ２０は、選択した商品番号に対応付けられている商品ファイルの項目に、総額データがあるか否かを判定する。総額データがある場合、ＣＰＵ２０は、定額モードに応じた色（例えば、黄色）の表示欄を液晶表示器９ｂに表示させるよう、表示制御部２５を制御する。
【００３７】
総額データがない場合、ＣＰＵ２０は、選択した商品番号に対応付けられている商品ファイルの項目に、内容量データがあるか否かを判定する。内容量データがある場合、ＣＰＵ２０は、計数モードに応じた色（例えば、赤色）の表示欄を液晶表示器９ｂに表示させるよう、表示制御部２５を制御する。一方、内容量データがない場合、ＣＰＵ２０は、計量モードに応じた色（例えば、緑色）の表示欄を液晶表示器９ｂに表示させるよう、表示制御部２５を制御する。
【００３８】
ＣＰＵ２０は、液晶表示器９ｂの画面における予め定められた位置（例えば、最上段）に、所定のデータを表示する表示欄を表示させる。表示欄には、例えば、総額（値段）、内容量（個数）、記号、風袋の重量［ｋｇ］、計量の結果［ｋｇ］、及び、個数又は重量あたりの単価が、それぞれ表示されてもよい。ここで、ＣＰＵ２０は、選択した動作モードに応じた色の表示欄を液晶表示器９ｂに表示させる。なお、ＣＰＵ２０は、操作入力により選択された色（例えば、赤色、緑色、黄色）の各表示欄を、選択した動作モードに応じた色で、液晶表示器９ｂに表示させてもよい。
【００３９】
なお、ＣＰＵ２０には、オペレータによる操作入力に基づいて、動作モード信号が、操作制御部２４から入力されてもよい。ＣＰＵ２０は、動作モード信号が示す動作モードに応じた色の表示欄を、液晶表示器９ｂに表示させてもよい。
【００４０】
図４には、定額モードでの値付け画面の表示例が示されている。値付け画面とは、オペレータが商品の総額（値段）などを商品ファイル（図３を参照）に登録するための操作画面である。定額モードでの値付け画面では、総額（値段）、内容量（個数）、記号、風袋の重量［ｋｇ］、計量の結果［ｋｇ］、及び、個数又は重量あたりの単価が、それぞれ黄色で表示されている。また、これらの表示欄は、液晶表示器９ｂの画面で目立つ位置（図４では、最上段）に表示されている。
【００４１】
ＣＰＵ２０には、選択表示欄信号及び入力データ信号が、操作制御部２４から入力される。ＣＰＵ２０は、選択表示欄信号が示す表示欄に表示されているデータ項目を、商品ファイル（図３を参照）から選択する。例えば、品名表示欄２００に品名「定額商品」が表示され、選択表示欄信号がデータ項目「総額」を示す場合、ＣＰＵ２０は、入力データ信号が示すデータを、商品ファイルの定額商品に対応するデータ項目「総額」に登録する。これにより、オペレータは、商品の総額（値段）などのデータ項目を、商品ファイルに登録することができる。
【００４２】
図５には、計数モードでの値付け画面の表示例が示されている。計数モードでの値付け画面では、総額（値段）、内容量（個数）、記号、風袋の重量［ｋｇ］、計量の結果［ｋｇ］、及び、個数又は重量あたりの単価（図５では、「／単位」と表示。）が、それぞれ赤色で表示されている。また、これらの表示欄は、液晶表示器９ｂの画面で目立つ位置（図５では、最上段）に表示されている。
【００４３】
ＣＰＵ２０には、選択表示欄信号及び入力データ信号が、操作制御部２４から入力される。ＣＰＵ２０は、選択表示欄信号が示す表示欄に表示されているデータ項目を、商品ファイル（図３を参照）から選択する。例えば、品名表示欄２００に品名「計数商品」が表示され、選択表示欄信号がデータ項目「単価」を示す場合、ＣＰＵ２０は、入力データ信号が示すデータを、商品ファイルの定額商品に対応するデータ項目「単価」に登録する。これにより、オペレータは、商品の単価などのデータ項目を、商品ファイルに登録することができる。
【００４４】
図６には、計量モードでの値付け画面の表示例が示されている。計量モードでの値付け画面では、総額（値段）、内容量（個数）、記号、風袋の重量［ｋｇ］、計量の結果［ｋｇ］、及び、個数又は重量あたりの単価（図６では、「／１００ｇ」と表示。）が、それぞれ緑色で表示されている。また、これらの表示欄は、液晶表示器９ｂの画面で目立つ位置（図６では、最上段）に表示されている。
【００４５】
ＣＰＵ２０には、選択表示欄信号及び入力データ信号が、操作制御部２４から入力される。ＣＰＵ２０は、選択表示欄信号が示す表示欄に表示されているデータ項目を、商品ファイル（図３を参照）から選択する。例えば、品名表示欄２００に品名「計量商品」が表示され、選択表示欄信号がデータ項目「単価」を示す場合、ＣＰＵ２０は、入力データ信号が示すデータを、商品ファイルの定額商品に対応するデータ項目「単価」に登録する。これにより、オペレータは、商品の単価などのデータ項目を、商品ファイルに登録することができる。
【００４６】
次に、ラベルプリンタの動作手順を説明する。
図７は、ラベルプリンタの動作手順例を示すフローチャートである。
（ステップＳ１）ＣＰＵ２０（図１を参照）は、商品ファイルをＲＡＭ３０から取得し、所定条件に基づいて商品番号を選択する。
【００４７】
（ステップＳ２）ＣＰＵ２０は、選択した商品番号に対応付けられた項目に、総額データがあるか否かを判定する。総額データがある場合（ステップＳ２：Ｙｅｓ）、ＣＰＵ２０は、ステップＳ３に処理を進める。一方、総額データがない場合（ステップＳ２：Ｎｏ）、ＣＰＵ２０は、ステップＳ４に処理を進める。
【００４８】
（ステップＳ３）ＣＰＵ２０は、定額モード（定貫モード）により値付け画面を表示する指示信号を、表示制御部２５（図１を参照）に出力する。表示制御部２５は、値付け画面で目立つ各表示欄（例えば、最上段の各表示欄）の枠を、例えば、液晶表示器９ｂに黄色で表示する（図４を参照）。ＣＰＵ２０は、ステップＳ７に処理を進める。
【００４９】
（ステップＳ４）ＣＰＵ２０は、選択した商品番号に対応付けられた項目に、内容量データがあるか否かを判定する。内容量データがある場合（ステップＳ４：Ｙｅｓ）、ＣＰＵ２０は、ステップＳ５に処理を進める。一方、内容量データがない場合（ステップＳ４：Ｎｏ）、ＣＰＵ２０は、ステップＳ６に処理を進める。
【００５０】
（ステップＳ５）ＣＰＵ２０は、計数モード（ＢＹ  ＣＯＵＮＴモード）により値付け画面を表示する指示信号を、表示制御部２５に出力する。表示制御部２５は、値付け画面で目立つ各表示欄（例えば、最上段の各表示欄）の枠を、例えば、液晶表示器９ｂに赤色で表示してもよい（図５を参照）。ＣＰＵ２０は、ステップＳ７に処理を進める。
【００５１】
（ステップＳ６）ＣＰＵ２０は、計量モード（非定貫モード）により値付け画面を表示する指示信号を、表示制御部２５に出力する。表示制御部２５は、値付け画面で目立つ各表示欄（例えば、最上段の各表示欄）の枠を、例えば、液晶表示器９ｂに緑色で表示させてもよい（図６を参照）。ＣＰＵ２０は、ステップＳ７に処理を進める。
【００５２】
（ステップＳ７）ＣＰＵ２０は、終了指示を受信したか否かを判定する。終了指示を受信した場合（ステップＳ７：Ｙｅｓ）、ＣＰＵ２０は、処理を終了させる。一方、終了指示を受信していない場合（ステップＳ７：Ｎｏ）、ＣＰＵ２０は、ステップＳ１に処理を戻す。
【００５３】
以上のように、制御装置１００は、予め定められたデータ（例えば、商品ファイルの項目のデータ）に基づいて作業を選択し、選択した作業の動作モード（例えば、定額モード、計数モード、計量モード）に応じた色でオペレータに指示を与えるための表示欄（例えば、総額の表示欄）を、液晶表示器９ｂに表示させるＣＰＵ２０を備える。
この構成により、ＣＰＵ２０は、選択した動作モードに応じた色の表示欄を、液晶表示器９ｂに表示させる。これにより、制御装置１００は、動作中の動作モードをオペレータに容易に確認させることができる。
【００５４】
ＣＰＵ２０は、液晶表示器９ｂの画面における予め定められた位置に、前記表示欄を表示させる。ＣＰＵ２０は、液晶表示器９ｂの画面の最上段に、前記表示欄を表示させてもよい。
【００５５】
制御装置１００は、色を選択するための操作入力を受け付ける操作部５（色選択手段）を備えてもよい。ＣＰＵ２０は、前記操作入力により選択された色の表示欄（例えば、総額の表示欄）を、液晶表示器９ｂに表示させる。
【００５６】
制御装置１００は、前記動作モード（例えば、定額モード、計数モード、計量モード）を選択するための操作入力を受け付ける操作部５（モード選択手段）を備えてもよい。ＣＰＵ２０は、前記操作入力により選択された動作モードに応じた色の表示欄を、液晶表示器９ｂに表示させる。
【００５７】
ＣＰＵ２０は、定められた総額（定額）を印字する動作モード（定額モード）、計数結果（商品の内容量）に応じた総額を印字する動作モード（計数モード）、及び、計量結果に応じた総額を印字する動作モード（計量モード）のうちから、動作モードを選択し、選択した動作モードに応じた色の表示欄を、液晶表示器９ｂに表示させる。
【００５８】
ラベルプリンタ１は、予め定められたデータに基づいて作業を選択し、選択した作業の動作モードに応じた色でオペレータに指示を与えるための表示欄（例えば、総額の表示欄）を、液晶表示器９ｂに表示させるＣＰＵ２０と、前記表示欄に表示されたデータを媒体（ラベル）に印字する印字機構部３（印字手段）と、を備える。
【００５９】
以上、この発明の実施形態について図面を参照して詳述してきたが、具体的な構成はこの実施形態に限られるものではなく、この発明の要旨を逸脱しない範囲の設計等も含まれる。
【００６０】
「付記１」
予め定められたデータに基づいて作業を選択し、選択された作業の動作モードに応じた色でオペレータに指示を与える表示欄を、表示手段に表示させる制御手段を備えることを特徴とする制御装置である。
これにより、制御装置は、指示に基づいて選択した作業の動作モードがどのようなモードであるのかを、オペレータに容易に認識させることができる。すなわち、制御装置は、作業すべき動作モードを、オペレータに色で容易に指示することができる。また、オペレータは、作業すべき動作モードを瞬間的に把握し、効率良く作業することができる。
【００６１】
「付記２」
前記制御手段は、前記表示手段の画面における予め定められた位置に、前記表示欄を表示させることを特徴とする付記１に記載の制御装置。
これにより、制御装置は、前記表示手段の画面における予め定められた位置に、前記表示欄を表示させることができる。
【００６２】
「付記３」
前記制御手段は、前記表示手段の画面の最上段に、前記表示欄を表示させることを特徴とする付記２に記載の制御装置。
これにより、制御装置は、前記表示手段の画面の最上段に、前記表示欄を表示させることができる。また、オペレータは、前記表示欄の色を、容易に認識することができる。
【００６３】
「付記４」
色を選択するための操作入力を受け付ける色選択手段
を備え、
前記制御手段は、前記操作入力により選択された色の表示欄を、表示手段に表示させることを特徴とする付記１から付記３のいずれか一項に記載の制御装置。
これにより、制御装置は、前記操作入力により選択された色の表示欄を、表示手段に表示させることができる。また、オペレータは、識別し易い色を選択することができる。
【００６４】
「付記５」
前記動作モードを選択するための操作入力を受け付けるモード選択手段
を備え、
前記制御手段は、前記操作入力により選択された動作モードに応じた色の表示欄を、表示手段に表示させることを特徴とする付記１から付記４のいずれか一項に記載の制御装置。
これにより、制御装置は、動作モードが他の動作モードに変更された場合でも、指示に基づいて選択した作業の動作モードがどのようなモードであるのかを、すなわち、オペレータの所望の動作モードに変更されているか否かを、オペレータに容易に認識させることができる。
【００６５】
「付記６」
前記制御手段は、定められた総額を印字する動作モード、計数結果に応じた総額を印字する動作モード、及び、計量結果に応じた総額を印字する動作モードのうちから、動作モードを選択し、選択した動作モードに応じた色の表示欄を、表示手段に表示させることを特徴とする付記１から付記５のいずれか一項に記載の制御装置。
これにより、制御装置は、選択した動作モードに応じた色の表示欄を、表示手段に表示させることができる。また、オペレータは、選択された動作モードが正しいか否かを、容易に認識することができる。
【００６６】
「付記７」
予め定められたデータに基づいて作業を選択し、選択された作業の動作モードに応じた色でオペレータに指示を与える表示欄を、表示手段に表示させる制御手段と、
前記表示欄に表示されたデータを媒体に印字する印字手段と、
を備えることを特徴とするプリンタ。
【００６７】
また、図７に示した動作手順の例では、定額モード、計数モード又は計量モードのいずれで値付け画面を表示するかは、選択された商品番号（ステップＳ１を参照）と、総額データがあるか否か（ステップＳ２を参照）と、内容量データがあるか否か（ステップＳ４を参照）とに基づいて判定されている。いずれの動作モードで値付け画面を表示するかは、図７に示した動作手順に示された例に限らず、例えば、商品ファイルにおける動作情報に基づいて判定されてもよい。
【００６８】
なお、上記に説明した制御装置及びプリンタを実現するためのプログラムをコンピュータ読み取り可能な記録媒体に記録して、この記録媒体に記録されたプログラムをコンピュータシステムに読み込ませ、実行することにより、実行処理を行ってもよい。なお、ここでいう「コンピュータシステム」とは、ＯＳや周辺機器等のハードウェアを含むものであってもよい。
【００６９】
また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００７０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【符号の説明】
【００７１】
１…ラベルプリンタ  ２…はかり  ２ａ…ロードセル  ３…印字機構部  ５…操作部  ７…キー操作部  ９ａ…タッチパネル  ９ｂ…液晶表示器（表示手段）  ２０…ＣＰＵ（制御手段）  ２１…ロードセル制御部  ２２…印字制御部  ３０…ＲＡＭ（記憶手段）  ２４…操作制御部  ２５…表示制御部  ４０…ＲＯＭ  １００…制御装置  ２００…品名表示欄
【図１】
2014132383.tif 000003
【図２】
2014132383.tif 000004
【図３】
2014132383.tif 000005
【図４】
2014132383.tif 000006
【図５】
2014132383.tif 000007
【図６】
2014132383.tif 000008
【図７】
2014132383.tif 000009